【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
シートの短辺を先頭にしてシートを搬送するショートエッジフィードモード又はシートの長辺を先頭にしてシートを搬送するロングエッジフィードモードでシートに印刷を行う印刷手段と、
印刷ジョブを入力する入力手段と、
前記ショートエッジフィードモードで搬送されるシートの枚数の上限値を設定する設定手段と、
前記ショートエッジフィードモードから前記ロングエッジフィードモードへの変更の指示をユーザに可能にする指示手段と、
前記入力手段により入力された印刷ジョブで使用されるシートとして前記ショートエッジフィードモードで搬送されるシートが指定されていて、かつ当該印刷ジョブで使用されるシートの枚数が前記上限値よりも大きい場合であって、前記ユーザが前記ショートエッジフィードモードから前記ロングエッジフィードモードへの変更を指示していない場合には、前記入力手段により入力された印刷ジョブに基づいて前記ショートエッジフィードモードで印刷を行うよう前記印刷手段を制御し、前記ユーザが前記ショートエッジフィードモードから前記ロングエッジフィードモードへの変更を指示している場合には、前記入力手段により入力された印刷ジョブに基づいて前記ロングエッジフィードモードで印刷を行うよう前記印刷手段を制御する制御手段と、
を備えることを特徴とする印刷装置。
【請求項２】
前記印刷手段は、前記入力手段により入力された印刷ジョブが前記印刷手段で印刷された用紙をスタッカでスタックするスタッカジョブであり、且つ、当該印刷ジョブで使用されるシートの枚数が前記設定手段により設定された上限値より多い場合に、前記ロングエッジフィードモードで印刷を行うよう前記印刷手段を制御することを特徴とする請求項１記載の印刷装置。
【請求項３】
前記印刷手段は、前記入力手段により入力された印刷ジョブが前記スタッカジョブとは異なる印刷ジョブである場合には、当該印刷ジョブで使用されるシートの枚数が前記設定手段により設定された上限値より多い場合であっても、当該印刷ジョブのためにユーザが設定した印刷条件に基づいて決定される前記ショートエッジフィードまたは前記ロングエッジフィードモードで印刷を行うよう前記印刷手段を制御することを特徴とする請求項２記載の印刷装置。
【請求項４】
前記制御手段は、前記入力手段により入力された印刷ジョブよりも先に印刷が行われる別の印刷ジョブが存在する場合に、前記入力手段により入力された印刷ジョブで使用されるシートの枚数が前記設定手段により設定された上限値より大きいかを判断し、前記入力手段により入力された印刷ジョブよりも先に印刷が行われる別の印刷ジョブが存在しない場合には、当該印刷ジョブのためにユーザが設定した印刷条件に基づいて決定される前記ショートエッジフィードまたは前記ロングエッジフィードで印刷を行うよう前記印刷手段を制御することを特徴とする請求項１記載の印刷装置。
【請求項５】
前記指示手段は、前記入力手段により入力された印刷ジョブで使用されるシートとして前記ショートエッジフィードモードで搬送されるシートが指定されていて、かつ当該印刷ジョブで使用されるシートの枚数が前記設定手段により設定された上限値より多い場合に、前記ロングエッジフィードモードを選択するための画面を表示し、
前記制御手段は、当該画面で前記ロングエッジフィードモードが選択された場合に、前記ロングエッジフィードモードで印刷を行うよう制御し、当該画面で前記ロングエッジフィードモードが選択されなかった場合に、前記ショートエッジフィードモードで印刷を行うよう前記印刷手段を制御することを特徴とする請求項１乃至４のいずれか１項に記載の印刷装置。
【請求項６】
前記ショートエッジフィードモードで印刷を完了するのに必要な第１の所要時間がユーザにより確認可能な第１の表示情報、
前記ロングエッジフィードモードで印刷を完了するのに必要な第２の所要時間がユーザにより確認可能な第２の表示情報、
前記第１の所要時間よりも前記第２の所要時間の方が短いことがユーザにより確認可能な第３の表示情報、
の少なくとも何れかを表示する表示手段を備えることを特徴とする請求項１乃至５のいずれか１項に記載の印刷装置。
【請求項７】
前記印刷手段は、前記ショートエッジフィードモードで印刷する場合と前記ロングエッジフィードモードで印刷する場合とで、主走査方向と副走査方向のマージンが異なる特性を持ち、
前記指示手段は、前記入力手段により入力された印刷ジョブで使用されるシートとして前記ショートエッジフィードモードで搬送されるシートが指定されていて、当該印刷ジョブで使用されるシートの枚数が前記設定手段により設定された上限値より多い場合に、前記ロングエッジフィードモードを選択するための画面と前記ショートエッジフィードモードから前記ロングエッジフィードモーとに変更することにより印字領域に差異が生じることを表示し、
前記制御手段は、当該画面で前記ロングエッジフィードモードが選択された場合に、前記ロングエッジフィードモードで印刷を行うよう制御し、当該画面で前記ロングエッジフィードモードが選択されなかった場合に、前記ショートエッジフィードモードで印刷を行うよう前記印刷手段を制御することを特徴とする請求項１に記載の印刷装置。
【請求項８】
前記制御手段は、前記入力手段により入力された印刷ジョブで使用されるシートとして前記ショートエッジフィードモードで搬送されるシートが指定されていて、かつ当該印刷ジョブで使用されるシートの枚数が前記上限値よりも小さい場合、当該指定に従って、前記ショートエッジフィードモードで印刷を行うよう前記印刷手段を制御することを特徴とする請求項１乃至７のいずれか１項に記載の印刷装置。
【請求項９】
前記制御手段は、前記入力手段により入力された印刷ジョブで使用されるシートとして前記ロングエッジフィードモードで搬送されるシートが指定されている場合、当該指定に従って、前記ロングエッジフィードモードで印刷を行うよう前記印刷手段を制御することを特徴とする請求項１乃至８のいずれか１項に記載の印刷装置。
【請求項１０】
シートの短辺を先頭にしてシートを搬送するショートエッジフィードモード又はシートの長辺を先頭にしてシートを搬送するロングエッジフィードモードでシートに印刷を行う印刷手段と、
印刷ジョブを入力する入力手段と、
前記ショートエッジフィードモードで印刷を行うための印刷時間の上限値を設定する設定手段と、
前記ショートエッジフィードモードから前記ロングエッジフィードモードへの変更の指示をユーザに可能にする指示手段と、
前記入力手段により入力された印刷ジョブで使用されるシートとして前記ショートエッジフィードで搬送されるシートが指定されていて、かつ当該印刷ジョブにかかる印刷時間が前記上限値より大きい場合であって、前記ユーザが前記ショートエッジフィードモードから前記ロングエッジフィードモードへの変更を指示していない場合には、前記入力手段により入力された印刷ジョブに基づいて前記ショートエッジフィードモードで印刷を行うよう前記印刷手段を制御し、前記ユーザが前記ショートエッジフィードモードから前記ロングエッジフィードモードへの変更を指示している場合には、前記入力手段により入力された印刷ジョブに基づいて前記ロングエッジフィードモードで印刷を行うよう前記印刷手段を制御する制御手段と、
を備えることを特徴とする印刷装置。
【請求項１１】
シートの短辺を先頭にしてシートを搬送するショートエッジフィードモード又はシートの長辺を先頭にしてシートを搬送するロングエッジフィードモードでシートに印刷を行う印刷手段を備える印刷装置の制御方法であって、
印刷ジョブを入力する入力工程と、
前記ショートエッジフィードモードで搬送されるシートの枚数の上限値を設定する設定工程と、
前記ショートエッジフィードモードから前記ロングエッジフィードモードへの変更の指示をユーザから受け付ける指示工程と、
前記入力工程により入力された印刷ジョブで使用されるシートとして前記ショートエッジフィードモードで搬送されるシートが指定されていて、かつ当該印刷ジョブで使用されるシートの枚数が前記上限値よりも大きい場合であって、前記ユーザが前記ショートエッジフィードモードから前記ロングエッジフィードモードへの変更を指示していない場合には、前記入力工程により入力された印刷ジョブに基づいて前記ショートエッジフィードモードで印刷を行うよう前記印刷手段を制御し、前記ユーザが前記ショートエッジフィードモードから前記ロングエッジフィードモードへの変更を指示している場合に、前記入力工程により入力された印刷ジョブに基づいて前記ロングエッジフィードモードで印刷を行うよう前記印刷手段を制御する制御工程と、
を備えることを特徴とする制御方法。
【請求項１２】
シートの短辺を先頭にしてシートを搬送するショートエッジフィードモード又はシートの長辺を先頭にしてシートを搬送するロングエッジフィードモードでシートに印刷を行う印刷手段を備える印刷装置の制御方法であって、
印刷ジョブを入力する入力工程と、
前記ショートエッジフィードモードで印刷を行うための印刷時間の上限値を設定する設定工程と、
前記ショートエッジフィードモードから前記ロングエッジフィードモードへの変更の指示をユーザから受け付ける指示工程と、
前記入力工程により入力された印刷ジョブで使用されるシートとして前記ショートエッジフィードで搬送されるシートが指定されていて、かつ当該印刷ジョブにかかる印刷時間が前記上限値より大きい場合であって、前記ユーザが前記ショートエッジフィードモードから前記ロングエッジフィードモードへの変更を指示していない場合には、前記入力工程により入力された印刷ジョブに基づいて前記ショートエッジフィードモードで印刷を行うよう前記印刷手段を制御し、前記ユーザが前記ショートエッジフィードモードから前記ロングエッジフィードモードへの変更を指示している場合には、前記入力工程により入力された印刷ジョブに基づいて前記ロングエッジフィードモードで印刷を行うよう前記印刷手段を制御する制御工程と、
を備えることを特徴とする制御方法。
【請求項１３】
シートの短辺を先頭にしてシートを搬送するショートエッジフィードモード又はシートの長辺を先頭にしてシートを搬送するロングエッジフィードモードでシートに印刷を行う印刷手段を備える印刷装置に、
印刷ジョブを入力する入力工程と、
前記ショートエッジフィードモードで搬送されるシートの枚数の上限値を設定する設定工程と、
前記ショートエッジフィードモードから前記ロングエッジフィードモードへの変更の指示をユーザから受け付ける指示工程と、
前記入力工程により入力された印刷ジョブで使用されるシートとして前記ショートエッジフィードモードで搬送されるシートが指定されていて、かつ当該印刷ジョブで使用されるシートの枚数が前記上限値よりも大きい場合であって、前記ユーザが前記ショートエッジフィードモードから前記ロングエッジフィードモードへの変更を指示していない場合には、前記入力工程により入力された印刷ジョブに基づいて前記ショートエッジフィードモードで印刷を行うよう前記印刷手段を制御し、前記ユーザが前記ショートエッジフィードモードから前記ロングエッジフィードモードへの変更を指示している場合には、前記入力工程により入力された印刷ジョブに基づいて前記ロングエッジフィードモードで印刷を行うよう前記印刷手段を制御する制御工程と、
を実行させるためのプログラム。
【請求項１４】
シートの短辺を先頭にしてシートを搬送するショートエッジフィードモード又はシートの長辺を先頭にしてシートを搬送するロングエッジフィードモードでシートに印刷を行う印刷手段を備える印刷装置に、
印刷ジョブを入力する入力工程と、
前記ショートエッジフィードモードで印刷を行うための印刷時間の上限値を設定する設定工程と、
前記ショートエッジフィードモードから前記ロングエッジフィードモードへの変更の指示をユーザから受け付ける指示工程と、
前記入力工程により入力された印刷ジョブで使用されるシートとして前記ショートエッジフィードで搬送されるシートが指定されていて、かつ当該印刷ジョブにかかる印刷時間が前記上限値より大きい場合であって、前記ユーザが前記ショートエッジフィードモードから前記ロングエッジフィードモードへの変更を指示していない場合には、前記入力工程により入力された印刷ジョブに基づいて前記ショートエッジフィードモードで印刷を行うよう前記印刷手段を制御し、前記ユーザが前記ショートエッジフィードモードから前記ロングエッジフィードモードへの変更を指示している場合には、前記入力工程により入力された印刷ジョブに基づいて前記ロングエッジフィードモードで印刷を行うよう前記印刷手段を制御する制御工程と、
を実行させるためのプログラム。
【手続補正２】
【補正対象書類名】明細書
【補正対象項目名】発明の名称
【補正方法】変更
【補正の内容】
【発明の名称】印刷装置、印刷装置の制御方法及びプログラム
【手続補正３】
【補正対象書類名】明細書
【補正対象項目名】０００９
【補正方法】変更
【補正の内容】
【０００９】
上記目的を達成するために、本発明に係る印刷装置は、シートの短辺を先頭にしてシートを搬送するショートエッジフィードモード又はシートの長辺を先頭にしてシートを搬送するロングエッジフィードモードでシートに印刷を行う印刷手段と、印刷ジョブを入力する入力手段と、ショートエッジフィードモードで搬送されるシートの枚数の上限値を設定する設定手段と、前記ショートエッジフィードモードから前記ロングエッジフィードモードへの変更の指示をユーザに可能にする指示手段と、前記入力手段により入力された印刷ジョブで使用されるシートとして前記ショートエッジフィードモードで搬送されるシートが指定されていて、かつ当該印刷ジョブで使用されるシートの枚数が前記上限値よりも大きい場合であって、前記ユーザが前記ショートエッジフィードモードから前記ロングエッジフィードモードへの変更を指示していない場合には、前記入力手段により入力された印刷ジョブに基づいて前記ショートエッジフィードモードで印刷を行うよう前記印刷手段を制御し、前記ユーザが前記ショートエッジフィードモードから前記ロングエッジフィードモードへの変更を指示している場合には、前記入力手段により入力された印刷ジョブに基づいて前記ロングエッジフィードモードで印刷を行うよう前記印刷手段を制御する制御手段と、を備えることを特徴とする。また、本発明に係る印刷装置は、シートの短辺を先頭にしてシートを搬送するショートエッジフィードモード又はシートの長辺を先頭にしてシートを搬送するロングエッジフィードモードでシートに印刷を行う印刷手段と、印刷ジョブを入力する入力手段と、前記ショートエッジフィードモードで印刷を行うための印刷時間の上限値を設定する設定手段と、前記ショートエッジフィードモードから前記ロングエッジフィードモードへの変更の指示をユーザに可能にする指示手段と、前記入力手段により入力された印刷ジョブで使用されるシートとして前記ショートエッジフィードで搬送されるシートが指定されていて、かつ当該印刷ジョブにかかる印刷時間が前記上限値より大きい場合であって、前記ユーザが前記ショートエッジフィードモードから前記ロングエッジフィードモードへの変更を指示していない場合には、前記入力手段により入力された印刷ジョブに基づいて前記ショートエッジフィードモードで印刷を行うよう前記印刷手段を制御し、前記ユーザが前記ショートエッジフィードモードから前記ロングエッジフィードモードへの変更を指示している場合には、前記入力手段により入力された印刷ジョブに基づいて前記ロングエッジフィードモードで印刷を行うよう前記印刷手段を制御する制御手段と、を備えることを特徴とする。